(57)【要約】【課題】  液晶表示付きの押ボタンスイッチの表示部に独立して二色同時表示が可能な液晶表示付き押ボタンスイッチを提供する。【解決手段】  液晶表示付き押ボタンスイッチにおいて、ホルダ１１を遮光板１２で二分割し、前記ホルダ１１の両側に独立した発光ダイオード１３，１４を設け、前記遮光板１２で区切られた両側にディフューザ１５，１６を配置し、このディフューザ１５，１６に対応して独立した二色を同時に表示可能な第１の液晶表示部２１と第２の液晶表示部２２を配置するようにした。【選択図】  図１
2009048904.tif 000002
【特許請求の範囲】
【請求項１】
ホルダを遮光板で少なくとも二分割し、前記ホルダの両側に独立したＬＥＤを設け、前記遮光板で区切られた両側にディフューザを配置し、該ディフューザに対応して独立した多色を同時に表示可能な液晶表示部を配置するようにしたことを特徴とする液晶表示付き押ボタンスイッチ。
【請求項２】
請求項１記載の液晶表示付き押ボタンスイッチにおいて、前記液晶表示部の一部に主液晶表示を行い、前記液晶表示部の一部の他の部分の液晶表示部に前記主液晶表示と関連する副次的な液晶表示を行うことを特徴とする液晶表示付き押ボタンスイッチ。
【請求項３】
請求項２記載の液晶表示付き押ボタンスイッチにおいて、前記主液晶表示と関連するツリー検索用液晶表示を前記液晶表示部の一部の他の部分の液晶表示部に行うことを特徴とする液晶表示付き押ボタンスイッチ。
【発明の詳細な説明】
【技術分野】
【０００１】
本発明は、液晶表示付き押ボタンスイッチに係り、特に、ツリー検索用液晶表示を可能にする液晶表示付き押ボタンスイッチに関するものである。
【背景技術】
【０００２】
従来の押ボタンスイッチシリーズは、バックライトＬＥＤの色により表示色の選択が可能であるが、単色での表示であった。
【０００３】
また、複数色のＬＥＤを配置して二色以上の表示をするものはあるが、それは単色での表示であった。
【０００４】
また、従来の液晶表示付き押ボタンスイッチは、単一の液晶表示部を有しており、その単一の液晶表示部に各種の表示を行うようにしていた（下記特許文献１及び２参照）。
【特許文献１】実開昭６４−５４２２４号公報
【特許文献２】実開平２−５６３２８号公報
【発明の開示】
【発明が解決しようとする課題】
【０００５】
上述したように、従来の押ボタンスイッチシリーズは、バックライトＬＥＤの色により表示色の選択可能であるが、それは単色での表示であったり、また、複数色のＬＥＤを配置して二色以上の表示をするものはあるが、それは単色での表示であった。
【０００６】
図５は従来の液晶表示付き押ボタンスイッチによるツリー検索の態様を示す図である。
【０００７】
従来の液晶表示付き押ボタンスイッチ１０１は、単一の液晶表示部１０２を有しているのみである。例えば、ツリー検索において、その液晶表示付き押ボタンスイッチ１０１を操作すると、単一の液晶表示部１０２に「そば」の表示が行われるが、さらにその「そば」の下層で何が選択できるかについては、押ボタンスイッチ１０１を押さないと見出すことはできなかった。
【０００８】
例えば、「そば」と表示された液晶表示付き押ボタンスイッチ１０１を押すと、その下層である「温かい」、「冷たい」、「戻る」などが単一の液晶表示部１０２に表示される。さらに押ボタンスイッチ１０１を押すと、その下層の「たぬき」、「きつね」、「その他」などが表示され、次いで、押ボタンスイッチ１０１を押すと、その下層の「月見」、「山菜」、「その他」などが単一の液晶表示部１０２に表示される。このように、押ボタンスイッチ１０１を押さない限り、下層の表示は行われないことになり、最終決定に時間がかかるといった問題があった。
【０００９】
本発明は、上記状況に鑑みて、液晶表示付押ボタンスイッチの液晶表示部に独立して少なくとも二色同時表示が可能な液晶表示付き押ボタンスイッチを提供することを目的とする。
【課題を解決するための手段】
【００１０】
本発明は、上記目的を達成するために、
〔１〕液晶表示付き押ボタンスイッチにおいて、ホルダを遮光板で少なくとも二分割し、前記ホルダの両側に独立したＬＥＤを設け、前記遮光板で区切られた両側にディフューザを配置し、該ディフューザに対応して独立した多色を同時に表示可能な液晶表示部を配置するようにしたことを特徴とする。
【００１１】
〔２〕上記〔１〕記載の液晶表示付き押ボタンスイッチにおいて、前記液晶表示部の一部に主液晶表示を行い、前記液晶表示部の一部の他の部分の液晶表示部に前記主液晶表示と関連する副次的な液晶表示を行うことを特徴とする。
【００１２】
〔３〕上記〔２〕記載の液晶表示付き押ボタンスイッチにおいて、前記主液晶表示と関連するツリー検索用液晶表示を前記液晶表示部の一部の他の部分の液晶表示部に行うことを特徴とする。
【発明の効果】
【００１３】
本発明によれば、以下のような効果を奏することができる。
【００１４】
（１）一つの押ボタンスイッチで少なくとも二色を同時に表示することが可能となる。
【００１５】
（２）ツリー検索において、次に選択されるべき下層の表示内容を主表示とともに副次的に表示することができ、検索効率の向上を図ることができる。
【００１６】
（３）ツリー検索において、下層での選択肢を表示することで検索がしやすくなり、ツリー検索効率を高めることができる。
【００１７】
（４）当該押ボタンスイッチを初めて使用する者でも、ツリー検索機能を有することを認識することができる。
【発明を実施するための最良の形態】
【００１８】
本発明の液晶表示付き押ボタンスイッチは、ホルダを遮光板で少なくとも二分割し、前記ホルダの両側に独立したＬＥＤを設け、前記遮光板で区切られた両側にディフューザを配置し、このディフューザに対応して独立した多色を同時に表示可能な液晶表示部を配置するようにしたものである。
【実施例】
【００１９】
以下、本発明の実施の形態について詳細に説明する。
【００２０】
図１は本発明の実施例を示す液晶表示付き押ボタンスイッチの分解斜視図、図２は図１のＡ−Ａ線断面図、図３は図１のＢ−Ｂ線断面図である。
【００２１】
これらの図において、１はケース、１Ａはコネクタ２の収納部、１Ｂはスイッチ素子３の収納部、１Ｃは中央空所、２Ａはコネクタ端子、３Ａは板バネ、３Ｂは固定接点、３Ｃはスイッチ端子、４は中央空所１Ｃに配置されるラバードーム、５はラバードーム４上に配置されるプランジャ、６はプランジャ５上に配置されるカバー、７はそのカバー６の上に配置される押さえ板、８は押さえ板７上に配置されるフレキシブルプリント基板、９はチップ１０が搭載される基板、１１は中央に遮光板１２が配置される角形ホルダであり、その角形ホルダ１１の両側には第１の発光ダイオード１３（例えば緑色発光ダイオード）と第２の発光ダイオード１４（例えば、黄色発光ダイオード）が配置される。遮光板１２によって区画された両側には、それぞれ第１のディフューザ１５と第２のディフューザ１６が配置される。１７，１８は液晶表示素子（文字や図形表示）と基板９を電気的に接続するインターコネクタ、１９は液晶表示素子（文字や図形表示）、２０は押ボタンであり、その押ボタン２０の表面には第１の液晶表示部２１と第２の液晶表示部２２とが設けられる。
【００２２】
この液晶表示付き押ボタンスイッチは、特に、ホルダ１１の両側に独立した発光ダイオード１３，１４を設け、遮光板１２で区切られた両側にディフューザ１５，１６を配置し、これらのディフューザ１５，１６に対応して独立した二色を同時に表示可能な押ボタン２０の表面に、第１の液晶表示部２１と第２の液晶表示部２２を配置するようにした。したがって、それぞれの液晶表示部に二色を同時に表示することができ、二色同時表示可能な液晶表示付き押ボタンスイッチを構成することができる。なお、ここでは、液晶表示部は１つであり、バックライトの発光色を少なくとも二色とすることで表示を分離したように見せているという構成となっている。
【００２３】
図４は本発明の二色同時表示可能な液晶表示付き押ボタンスイッチを用いることによりツリー検索を容易にした液晶表示の態様を示す図である。
【００２４】
ここでは、液晶表示付き押ボタンスイッチ３１の表面に設けられた液晶表示部の上部の第１の液晶表示部３２に例えば「うどん」が黄色で表示され、その下部の第２の液晶表示部３３には、ツリー検索において「うどん」の下層となる「温」と「冷」が同時に緑色で表示されるようになっている。ここで、「うどん」を選択すると、液晶表示部の上部の第１の液晶表示部３２に「温かい」が黄色で表示され、同時にその液晶表示部の下部の第２の液晶表示部３３にツリー検索で「温かい」の下層となる「トッピング」が緑色で表示されるようになっている。
【００２５】
このように、液晶表示付き押ボタンスイッチ３１の液晶表示部に第１の液晶主表示を行うと同時にツリー検索のための副次的な第２の液晶表示を行うことができるので、ツリー検索を効率的に遂行することができる。
【００２６】
なお、上記実施例では、ホルダの両側に独立した発光ダイオードを設け、遮光板で区切られた両側にディフューザを配置し、これらのディフューザに対応して独立した二色を同時に表示可能な押ボタンの表面に、第１の液晶表示部と第２の液晶表示部を配置するようにしたが、少なくとも二分割することをもって足り、例えば、二〜四分割表示することができるように構成することができる。
【００２７】
また、本発明は上記実施例に限定されるものではなく、本発明の趣旨に基づき種々の変形が可能であり、これらを本発明の範囲から排除するものではない。
【産業上の利用可能性】
【００２８】
本発明の液晶表示付き押ボタンスイッチは、ツリー検索に適した液晶表示付き押ボタンスイッチとして利用可能である。
【図面の簡単な説明】
【００２９】
【図１】本発明の実施例を示す液晶表示付き押ボタンスイッチの分解斜視図である。
【図２】図１のＡ−Ａ線断面図である。
【図３】図１のＢ−Ｂ線断面図である。
【図４】本発明の二色同時表示可能な液晶表示付き押ボタンスイッチを用いることによりツリー検索を容易にした液晶表示の態様を示す図である。
【図５】従来の液晶表示付き押ボタンスイッチによるツリー検索の態様を示す図である。
【符号の説明】
【００３０】
１    ケース
１Ａ    コネクタの収納部
１Ｂ    スイッチ素子の収納部
１Ｃ    中央空所
２    コネクタ
２Ａ    コネクタ端子
３    スイッチ素子
３Ａ    板バネ
３Ｂ    固定接点
３Ｃ    スイッチ端子
４    ラバードーム
５    プランジャ
６    カバー
７    押さえ板
８    フレキシブルプリント基板
９    基板
１０    チップ
１１    角形ホルダ
１２    遮光板
１３    第１の発光ダイオード
１４    第２の発光ダイオード
１５    第１のディフューザ
１６    第２のディフューザ
１７，１８    インターコネクタ
１９    液晶表示素子
２０    押ボタン
２１    第１の液晶表示部
２２    第２の液晶表示部
３１    液晶表示付き押ボタンスイッチ
３２    第１の液晶表示部
３３    第２の液晶表示部
【図１】
2009048904.tif 000003
【図２】
2009048904.tif 000004
【図３】
2009048904.tif 000005
【図４】
2009048904.tif 000006
【図５】
2009048904.tif 000007